(57)【要約】【課題】リンクを増設せずに帯域の変動に対応可能な光通信システムを提供する。【解決手段】対向する通信装置１０，２０を接続する光リンク３０の両側に光サーキュレータ１１，２１を配置し、光サーキュレータ１１，２１の一方のポートに受光器１２，２２、別のポートに光変調器１３，２３を接続し、通信装置２０は光変調器２３に信号光を入力する光源２４を備え、別の通信装置１０は受光器１２に入力される信号光を分岐して光変調器１３へ入力する光分岐器１４を備えて、光変調器１３を介したループバックを構成する。これにより、データの送信方向が反転可能な光通信システムを提供することができる。【選択図】図１
2014207547.tif 000002
【特許請求の範囲】
【請求項１】
対向する第１、第２の通信装置を接続する光リンクと、
前記光リンクの両側に接続した光サーキュレータと、
前記光サーキュレータそれぞれの一方のポートに接続した受光器と、
前記光サーキュレータそれぞれの別のポートに接続した光変調器と、
前記第１の通信装置の前記光変調器に信号光を入力する光源と、
前記第２の通信装置の前記受光器に入力される信号光を分岐して前記光変調器へ入力する光分岐器と、
を有することを特徴とする光通信システム。
【請求項２】
請求項１に記載の光通信システムの光リンクを含む複数の光リンクをリンクアグリゲーションによって論理的に束ねたことを特徴とする光通信システム。
【請求項３】
請求項１に記載の光通信システムの光リンクを含む複数の光リンクを波長分割多重によって１本のファイバに論理的に束ねたことを特徴とする光通信システム。
【発明の詳細な説明】
【技術分野】
【０００１】
本発明は、光通信システムにおいて、帯域の変動に柔軟に対応する技術に関する。
【背景技術】
【０００２】
光リンクにおいてＬＡＧ（リンクアグリゲーション）が広く利用されている。ＬＡＧにより複数の光リンクを１本の論理リンクとして扱うことで、伝送路に冗長性を持たせることができ、同時に、帯域に応じて柔軟にリンク数を変更できるという効果もある。また、使用する光リンクをスリープさせることで省電力化を実現できる。光リンクでは、複数リンクを１本のファイバにまとめるＷＤＭ（Ｗａｖｅｌｅｎｇｔｈ  Ｄｉｖｉｓｉｏｎ  Ｍｕｌｔｉｐｌｅｘｉｎｇ：波長分割多重）技術を利用したＷＤＭ−ＬＡＧが提案されている（特許文献１参照）。
【先行技術文献】
【特許文献】
【０００３】
【特許文献１】特開２０１０−２８３５７１号公報
【発明の概要】
【発明が解決しようとする課題】
【０００４】
昨今の増大するデータトラフィックに対して、ＬＡＧはリンク数を増やすことで対応可能であるが、通常のＬＡＧではリンク回線を多く用意することになり設備費用が増大する。データトラフィック量は時間により大きく変動するので、最大帯域に合わせてリンク数を用意すると、リンクの不稼働率が増大して効率が良くないという問題があった。映像配信サービスの増加に伴い、下りのトラフィック量が増大しているが、上り帯域については映像トラフィック等が少ないため、帯域が余っていることが多い。
【０００５】
一方、ＷＤＭ−ＬＡＧでは、リンク数によらずファイバは１本で良いが、リンク数を増やすと波長数を増やさなければならない。波長数を増やすと波長間隔が狭まるため、高度な波長制御が必要となり、高価な光源が必要となるという問題があった。
【０００６】
本発明は、上記に鑑みてなされたものであり、リンクを増設せずに帯域の変動に対応可能な光通信システムを提供することを目的とする。
【課題を解決するための手段】
【０００７】
本発明に係る光通信システムは、対向する第１、第２の通信装置を接続する光リンクと、前記光リンクの両側に接続した光サーキュレータと、前記光サーキュレータそれぞれの一方のポートに接続した受光器と、前記光サーキュレータそれぞれの別のポートに接続した光変調器と、前記第１の通信装置の前記光変調器に信号光を入力する光源と、前記第２の通信装置の前記受光器に入力される信号光を分岐して前記光変調器へ入力する光分岐器と、を有することを特徴とする。
【発明の効果】
【０００８】
本発明によれば、リンクを増設せずに帯域の変動に対応可能な光通信システムを提供することができる。
【図面の簡単な説明】
【０００９】
【図１】本実施の形態における光通信システムの構成を示すブロック図である。
【図２】上記光通信システムの信号光の進路を説明する図である。
【図３】本実施の形態における光通信システムがデータの送信方向を切り替える処理の流れを示すシーケンス図である。
【図４】複数の光リンクをＬＡＧによって論理的に束ねた光通信システムに本実施の形態における光通信システムを適用した例を示す図である。
【図５】複数の光リンクを１本のファイバにまとめたＷＤＭ構成に本実施の形態における光通信システムを適用した例を示す図である。
【発明を実施するための形態】
【００１０】
以下、本発明の実施の形態について図面を用いて説明する。
【００１１】
図１は、本実施の形態における光通信システムの構成を示すブロック図である。同図に示す光通信システムは、通信装置１０，２０を光リンク３０で接続している。
【００１２】
通信装置１０，２０それぞれにおいて、光リンク３０の両側に光サーキュレータ１１，２１を接続し、光サーキュレータ１１，２１の一方のポートに受光器１２，２２、別のポートに光変調器１３，２３を接続する。通信装置２０は、光変調器２３に信号光を入力する光源２４を備える。別の通信装置１０は、受光器１２に入力される信号光を分岐して光変調器１３へ入力する光分岐器１４を備える。
【００１３】
光変調器１３，２３から光サーキュレータ１１，２１に入射した信号光は光リンク３０へ出射し、対向する通信装置１０，２０へ向かう。光リンク３０から光サーキュレータ１１，２１に入射した信号光は受光器１２，２２を接続したポートから出射し、受光器１２，２２で受信される。通信装置１０では、光リンク３０から光サーキュレータ１１、光分岐器１４を介して光変調器１３に信号光が入力され、光変調器１３から光サーキュレータ１１に入射した信号光は光リンク３０に戻るので、光サーキュレータ１１により光変調器１３を介したループバックが構成される。
【００１４】
本実施の形態における光通信システムは、通信装置１０，２０それぞれの光変調器１３，２３の電源オン・オフを制御し、データを送信する側の光変調器１３，２３が送信すべきデータで信号光を変調することでデータの送信方向を切り替える。
【００１５】
次に、図を用いて信号光の進路について説明する。
【００１６】
図２（ａ）は、通信装置２０から通信装置１０へデータを送信する場合の信号光の進路を説明する図である。通信装置２０から通信装置１０へデータを送信する場合、通信装置２０の光変調器２３は電源オン、通信装置１０の光変調器１３は電源オフとする。
【００１７】
光源２４を出射した信号光は光変調器２３に入り、光変調器２３において送信すべきデータで変調され、光サーキュレータ２１から光リンク３０に入射して通信装置１０に届く。通信装置１０では、信号光が光サーキュレータ１１、光分岐器１４を介して受光器１２で受信され、通信装置２０が送信したデータが通信装置１０で取得される。
【００１８】
図２（ｂ）は、図２（ａ）とは逆に、通信装置１０から通信装置２０へデータを送信する場合の信号光の進路を説明する図である。通信装置１０から通信装置２０へデータを送信する場合、通信装置１０の光変調器１３は電源オン、通信装置２０の光変調器２３は電源オフとする。
【００１９】
通信装置１０から通信装置２０へデータを送信する場合も、光源２４から出射する信号光を用いる。光源２４を出射した信号光は光変調器２３を通過し、光サーキュレータ２１から光リンク３０に入射して通信装置１０に届く。光変調器２３は電源オフであるので信号光は変調されずに通信装置１０に届く。通信装置１０では、信号光が光サーキュレータ１１、光分岐器１４を介して光変調器１３に入り、光変調器１３において送信すべきデータで変調され、光サーキュレータ１１から光リンク３０に入射して通信装置２０に届く。光リンク３０から通信装置２０に入射した信号光は、光サーキュレータ２１から受光器２２に入力されて、通信装置１０が送信したデータが通信装置２０で取得される。
【００２０】
次に、データの送信方向の切り替え動作について説明する。
【００２１】
図３は、本実施の形態における光通信システムがデータの送信方向を切り替える処理の流れを示すシーケンス図である。
【００２２】
図１の光通信システムにおいて、通信装置２０の光変調器２３は電源オン、通信装置１０の光変調器１３は電源オフであり、通信装置２０から通信装置１０へデータが送信されている（ステップＳ１０１）。
【００２３】
一定時間通信無しの場合、光変調器２３の電源をオフにする（ステップＳ１０２）。
【００２４】
通信装置２０は、定期的に、光変調器２３の電源を一時的にオンにして、通信装置１０がデータ送信を要求しているか否かを確認する要求確認信号を送信する（ステップＳ１０３）。なお、通信装置１０はデータ送信を要求しない場合は、要求確認信号に対する応答は返信しない。
【００２５】
ここで、通信装置１０がデータの送信を希望する通信要求を受けると（ステップＳ１０４）、光変調器１３の電源をオンにする（ステップＳ１０５）。
【００２６】
そして、通信装置１０は、通信装置２０から要求確認信号を受信すると（ステップＳ１０６）、データ送信を要求する要求信号を返信する（ステップＳ１０７）。
【００２７】
通信装置２０は、通信装置１０から要求信号を受信すると、要求承諾信号を返信し（ステップＳ１０８）、光変調器２３の電源をオフにする（ステップＳ１０９）。
【００２８】
ここまでの処理により、通信装置１０の光変調器１３は電源オン、通信装置２０の光変調器２３は電源オフとなり、通信装置１０が送信側、通信装置２０が受信側となる。そして、通信装置１０から通信装置２０へデータが送信される（ステップＳ１１０）。
【００２９】
通信装置２０はデータの送信を希望する通信要求を受けると（ステップＳ１１１）、光変調器２３の電源をオンにする（ステップＳ１１２）。
【００３０】
通信装置１０は、データ送信が終了すると、要求確認信号を通信装置２０へ送信する（ステップＳ１１３）。
【００３１】
通信装置２０は、通信装置１０から要求確認信号を受信すると、要求信号を返信する（ステップＳ１１４）。
【００３２】
通信装置１０は、要求信号を受信すると、要求承諾信号を返信し（ステップＳ１１５）、光変調器１３の電源をオフにする（ステップＳ１１６）。
【００３３】
ここまでの処理により、通信装置１０が受信側、通信装置２０が送信側となる。そして、通信装置２０から通信装置１０へデータが送信される（ステップＳ１１７）。
【００３４】
なお、上記の処理において、通信が行われていない場合は光源２４の電源をオフにして省電力化を図る。
【００３５】
次に、複数の光リンクをＬＡＧによって論理的に束ねた光通信システムに本実施の形態における光通信システムを適用した例について説明する。
【００３６】
図４は、複数の光リンクをＬＡＧによって論理的に束ねた光通信システムに本実施の形態における光通信システムを適用した例を示す図である。
【００３７】
図４に示す例では、対向する通信装置を接続した上下それぞれ２本の光リンクのうちの図中の真ん中の２つの光リンクについて、光リンクの両側に光サーキュレータ、光変調器、受光器を設置し、光源を備えない側をループバック構成とすることで通信方向の反転を可能とした。通信方向の反転を可能とすることにより、光リンクを増設せずに帯域の変動に対応可能となる。同図の例では、例えば１本の光リンクの帯域が１Ｇｂｐｓであるとすると、片側で最大３Ｇｂｐｓの帯域を確保することができる。
【００３８】
図５は、複数の光リンクを１本のファイバにまとめたＷＤＭ構成に本実施の形態における光通信システムを適用した例を示す図である。
【００３９】
図５に示す例では、複数の光リンクで接続される対向する通信装置のそれぞれに光合分波器を備えてＷＤＭ−ＬＡＧ構成とし、図中の真ん中の２つの光リンクについて、光リンクの両側に光サーキュレータ、光変調器、受光器を設置し、光源を備えない側をループバック構成とすることで通信方向の反転を可能とした。通信方向の反転を可能とすることにより、トータルの波長数を増やさずに帯域の変動に対応可能となる。
【００４０】
以上説明したように、本実施の形態によれば、対向する通信装置１０，２０を接続する光リンク３０の両側に光サーキュレータ１１，２１を配置し、光サーキュレータ１１，２１の一方のポートに受光器１２，２２、別のポートに光変調器１３，２３を接続し、通信装置２０は光変調器２３に信号光を入力する光源２４を備え、別の通信装置１０は受光器１２に入力される信号光を分岐して光変調器１３へ入力する光分岐器１４を備えて、光変調器１３を介したループバックを構成することにより、データの送信方向が反転可能な光通信システムを提供することができる。
【００４１】
本実施の形態によれば、データの送信方向が反転可能な光通信システムを含む複数の光リンクをＬＡＧによって論理的に束ねることにより、光リンクを増設することなく帯域の変動に対応が可能となり、ＬＡＧ数内で柔軟な帯域割り当てができ、効率的なユーザ収容を図ることができる。また、データの送信方向が反転可能な光通信システムを含む複数の光リンクをＷＤＭによって１本のファイバに論理的に束ねることにより、波長数を増やさずに帯域の変動に対応が可能となる。波長数を抑制することができるため光源を増やす必要がなく、機器コスト、ランニングコストを低減でき、省電力化を図ることができる。
【符号の説明】
【００４２】
１０，２０…通信装置
１１，２１…光サーキュレータ
１２，２２…受光器
１３，２３…光変調器
１４…光分岐器
２４…光源
３０…光リンク
【図１】
2014207547.tif 000003
【図２】
2014207547.tif 000004
【図３】
2014207547.tif 000005
【図４】
2014207547.tif 000006
【図５】
2014207547.tif 000007